【手続補正書】
【提出日】平成17年7月20日(2005.7.20)
【手続補正１】
【補正対象書類名】明細書
【補正対象項目名】全文
【補正方法】変更
【補正の内容】
【書類名】  明細書
【発明の名称】  浴室用電源装置
【特許請求の範囲】
【請求項１】  浴室の照明器具と、前記照明器具への給電線を分岐して得た商用電源を任意の低電圧電源に変換する電力変換装置と、装置を収容する金属筐体に凸部を構成するように設けた冷却部とを備え、前記電力変換装置からの出力を浴室内に設けている電源コンセントに接続した浴室用電源装置。
【請求項２】  金属筐体は冷却ファンを有する請求項１に記載した浴室用電源装置。
【請求項３】  冷却ファンは、装置を収容する金属筐体の外部に配置した請求項２に記載した浴室用電源装置。
【請求項４】  電力変換装置は、回路部品の少なくとも１つを金属筐体に取り付けた請求項１から３のいずれか１項に記載した浴室用電源装置。
【請求項５】  電力変換装置は、絶縁体でモールドした回路部品を少なくとも１つ有し、更に少なくとも１つの部品を絶縁体を介して金属筐体に接触させた請求項１から３のいずれか１項に記載した浴室用電源装置。
【請求項６】  金属筐体は絶縁体のカバーによって覆った請求項１から５のいずれか１項に記載した浴室用電源装置。
【請求項７】  絶縁体のカバーは通風口を有する請求項６に記載した浴室用電源装置。
【請求項８】  金属筐体は浴室用の照明器具を取り付ける取付具を備えた請求項１から７のいずれか１項に記載した浴室用電源装置。
【請求項９】  絶縁体のカバーは浴室用照明器具を取り付ける取付具を備えた請求項７または８に記載した浴室用電源装置。
【請求項１０】  取付具は、絶縁体のカバーに設けた貫通穴と、前記絶縁体のカバーと金属筐体との間に配置した貫通穴を有するスペーサと、前記金属筐体に設けたねじ穴とによって金属筐体に取り付けるようにした請求項９に記載した浴室用電源装置。
【請求項１１】  電力変換装置は一端に電源コンセントに接続する送電線を接続した請求項１から１０のいずれか１項に記載した浴室用電源装置。
【発明の詳細な説明】
【０００１】
【発明の属する技術分野】
本発明は、浴室で使用される電気機器に電力を供給できる浴室用電源装置に関するものである。
【０００２】
【従来の技術】
浴室で例えばゲーム機を使用して遊びたい等の希望があった場合、このゲーム機の電源は、浴室の外から例えばテーブルタップを引き込んで、このテーブルタップにゲーム機の差込プラグを差し込んで使用するものである。
【０００３】
【発明が解決しようとする課題】
このように、外部からテーブルタップを引き込んで浴室内で使用する機器の電源を供給する方法は、例えば浴室のドアを閉めることが出来ない、あるいはテーブルタップに水がかかって危険である等の課題を有しているものである。
【０００４】
【課題を解決するための手段】
本発明は、商用電源を任意の低電圧電源に変換する電力変換装置を収容した表面に凸部を有する金属筐体を使用して、浴室の照明器具に対する配線を分岐して得た商用電源を低電圧電源に変換して、浴室内に設けたコンセントに供給するようにして、浴室内で使用する電気機器に対する電源を簡単に供給できる浴室用電源装置としているものである。
【０００５】
【発明の実施の形態】
請求項１に記載した発明は、商用電源を任意の低電圧電源に変換する電力変換装置を表面に凸部を構成するように設けた冷却部を有する金属筐体を使用して、浴室の照明器具に対する配線を分岐して得た商用電源を低電圧電源に変換して、浴室内に設けたコンセントに供給するようにして、装置の発熱を抑えながら、浴室内で使用する電気機器に対する電源を簡単に供給できる浴室用電源装置としているものである。
【０００６】
請求項２に記載した発明は、金属筐体は冷却ファンを有するようにして、更に装置の発熱を確実に抑えることが出来る浴室用電源装置としている。
【０００７】
請求項３に記載した発明は、冷却ファンは、装置を収容する金属筐体の外部に配置して、電力変換装置の発熱を強制的に放熱でき、装置の発熱を抑えながら、浴室内で使用する電気機器に対する電源を簡単に供給できる浴室用電源装置としているものである。
【０００８】
請求項４に記載した発明は、電力変換装置は、回路部品の少なくとも１つを金属筐体に取り付けるようにして、特に発熱量の多い回路部品を強制的に放熱でき、装置の発熱を抑えながら、浴室内で使用する電気機器に対する電源を簡単に供給できる浴室用電源装置としているものである。
【０００９】
請求項５に記載した発明は、電力変換装置は、絶縁体でモールドした回路部品を少なくとも１つ有し、更に少なくとも１つの部品を絶縁体を介して金属筐体に接触させるようにして、装置の発熱を抑えながら、浴室内で使用する電気機器に対する電源を簡単に供給できる浴室用電源装置としているものである。
【００１０】
請求項６に記載した発明は、金属筐体は絶縁体のカバーによって覆うようにして、何かの原因で金属筐体が充電部になったとしても安全で、浴室内で使用する電気機器に対する電源を簡単に供給できる浴室用電源装置としているものである。
【００１１】
請求項７に記載した発明は、絶縁体のカバーは通風口を有するようにして、カバーに設けた通風口によって、電力変換装置の発熱による影響を回避でき、何かの原因で金属筐体が充電部になったとしても安全で、浴室内で使用する電気機器に対する電源を簡単に供給できる浴室用電源装置としているものである。
【００１２】
請求項８に記載した発明は、金属筐体は浴室用の照明器具を取り付ける取付手段を備えるようにして、浴室用の照明器具を一体に取り付けることが可能で、システム全体をコンパクト化した、浴室内で使用する電気機器に対する電源を簡単に供給できる浴室用電源装置としているものである。
【００１３】
請求項９に記載した発明は、絶縁体のカバーは浴室用照明器具を取り付ける取付手段を備えるようにして、浴室用の照明器具を一体に取り付けることが可能で、システム全体をコンパクト化した、浴室内で使用する電気機器に対する電源を簡単に供給できる浴室用電源装置としているものである。
【００１４】
請求項１０に記載した発明は、取付手段は、絶縁体のカバーに設けた貫通穴と、前記絶縁体のカバーと金属筐体との間に配置した貫通穴を有するスペーサと、前記金属筐体に設けたねじ穴とによって構成して、使用者が扱い易い場所に電力変換装置の出力を導くことができ、使い勝手の良い、浴室内で使用する電気機器に対する電源を簡単に供給できる浴室用電源装置としているものである。
【００１５】
請求項１１に記載した発明は、電力変換装置は一端に電源コンセントに接続する送電線を接続した構成として、接続工事が容易で、浴室内で使用する電気機器に対する電源を簡単に供給できる浴室用電源装置としているものである。
【００１６】
【実施例】
（実施例１）
図１は、本発明の第１の実施例の構成を示す説明図である。また、図２は本実施例の構成を下面から見た平面図である。本実施例の浴室用電源装置は、浴室の天井２に取り付けている金属筐体１と、金属筐体１を覆うカバー５と、浴室用の照明器具１８と、浴室用のコンセント２３によって構成している。
【００１７】
金属筐体１として本実施例では熱伝導率の高いアルミニウムまたはアルミニウム合金を使用している。金属筐体１内には、商用電源を任意の低電圧電源に変換する電力変換装置３を収容している。また金属筐体１の表面には、凸部を構成するように冷却部４を設けている。冷却部４としては放熱フィンを使用している。
【００１８】
カバー５はプラスチック樹脂等の絶縁体で構成しており、図２に示しているように、側面には通風口６を、また底面にも通風口７を有している。また、図１に示しているように、カバー５と金属筐体１との間には、スペーサ１４とスペーサ１５とを挿入しており、必要な空間距離を確保している。
【００１９】
また本実施例では、カバー５には照明器具１８を接続するためのソケット８を有している取付具９を取り付けている。すなわち、取付具９は２本の取付ねじ１０と１１を使用して、カバー５の貫通穴１２、１３と、スペーサ１４、１５を介して、金属筐体１に設けているねじ穴１６、１７に締め付けて固定されているものである。このとき、照明器具１８はソケット８に接続されており、照明器具カバー１９は、取付具９に係止されている。
【００２０】
図３は、本実施例の装置の電気接続を示すブロック図である。商用電源２０は給電線２１を介して照明器具１８に給電している。本実施例では、前記給電線２１は図１に示している引き込み孔２５から金属筐体２内に引き込んで、電力変換装置３に分岐して給電している。電力変換装置３の出力は、送電線２２によって金属筐体１から浴室に敷設しているコンセント２３に配線されている。コンセント２３には、本実施例では浴室内で使用するように電気マット２４を接続している。
【００２１】
なお前記引き込み孔２５は、前記金属筐体１を取り付けている天井２に設けているものである。つまり、浴室内に敷設している照明器具に対する配線用の引き込み孔をそのまま利用しているものである。
【００２２】
また前記送電線２２は、本実施例では金属筐体１に取り付けたものを使用している。
【００２３】
電力変換装置３には、例えばＦＥＴやトランスを使用したスイッチング電源を使用しており、商用電源２０の電圧を任意の低電圧に変換しているものである。低電圧に変換している理由は、例えば本実施例で使用している電気マット２４のように、浴室内で使用する機器には低電圧が定格となっているものが多いためである。
【００２４】
図４は本実施例の電力変換装置３の構成を示す断面図で、主要な回路部品の配置を説明している。３４はフィルムコンデンサ、３５はチョークコイル、３６はダイオードブリッジ、３７は抵抗、３８は電解コンデンサ、２９はＦＥＴ、３０はトランスで、２８は前記各部品を実装しているプリント配線板である。ＦＥＴ２９とトランス３０とは損失が大きく、冷却しにくい回路部品である。本実施例では、ＦＥＴ２９とトランス３０とは金属筐体１に取り付けた凸部を構成する冷却部４に取り付けている。またトランス３０は、絶縁体３１で全体をモールドした状態で、同様に金属筐体１に取り付けた凸部を構成する冷却部４に接触させるように取り付けている。３２と３３は配線用の電線、３９と４０はスペーサである。つまりプリント配線板２８は、スペーサ３９、スペーサ４０を介して金属筐体１に固定されている。
【００２５】
以下、本実施例の動作について説明する。電力変換装置３は、商用電源２０の電圧ＡＣ１００ＶをＤＣ４０Ｖに変換して出力している。この出力は、電線２２により電源コンセント２３に供給されている。このときの電力変換装置３の出力容量は、電源コンセント２３に接続して浴室で使用する電気機器の電力容量を考慮して任意に設定できるものである。例えば図３に示しているように、伝件コンセント２３に電気マット２４を接続すると、電気マット２４は、電力変換装置３の出力であるＤＣ４０Ｖの電源を用いて発熱し、浴室の床面を暖房する。
【００２６】
なお本実施例では、金属筐体１と金属筐体１に凸部を構成するように設けた冷却部４とを別部品として説明しているが、一体成型した構成としてももちろん良いものである。この場合には、金属筐体１と冷却部４との接触面の熱抵抗を低減でき、冷却効果が一層増大するものである。また、組立工数も低減できるものである。
【００２７】
また本実施例では、カバー５は金属筐体１に間隙を設けて取り付けるようにしているが、カバー５を金属筐体１に密着させて取り付ける構成としても支障はないものである。この場合には、浴室用電源装置を一層コンパクト化できるものである。
【００２８】
また本実施例では、浴室用の照明器具１８を取り付ける取付具９を筐体１に固定する構成として説明しているが、取付具９をカバー５に固定する構成としても同様の効果を奏するものである。
【００２９】
以上のように本実施例によれば、浴室の照明器具１８と、前記照明器具１８への給電線２１を分岐して得た商用電源２０を任意の低電圧電源に変換する電力変換装置３と、装置を収容する金属筐体１に凸部を構成するように設けた冷却部４とを備え、前記電力変換装置３からの出力を浴室内に設けている電源コンセント２３に接続した浴室用電源装置として、浴室内で使用する電気機器２４に対する電源を簡単に供給できる浴室用電源装置を実現するものである。
【００３０】
また本実施例によれば、金属筐体１を使用する構成としているため、熱伝導率が高く、収容している電力変換装置３の発熱を効率よく放熱でき、冷却性能の高い浴室用電源装置を実現するものである。
【００３１】
また本実施例によれば、コンセント２３に供給する電圧を低電圧としているため、感電の危険のない安全な浴室用電源装置を実現するものである。
【００３２】
また浴室内で使用する電気機器を電気マット２４とした場合には、浴室内を暖房でき、浴室で長時間遊ぶことが出来るものである。
【００３３】
また本実施例によれば、金属筐体１の表面に凸部を構成するように冷却部４を取り付けているため、放熱面積を広げることができ、冷却性能のより高い浴室用電源装置を実現するものである。
【００３４】
また本実施例によれば、電力変換装置３を構成する回路部品の内、比較的損失の大きいＦＥＴ２９は、金属筐体１の表面に凸部を構成するように設けている冷却部４に接触させるように取り付けているため、冷却性能の高い浴室用電源装置を実現するものである。
【００３５】
また電力変換装置３を構成するトランス３０は、巻線部分が充電部となっており金属筐体１に直接取り付けることは困難であるが、本実施例では、全体を絶縁体３１でモールドし、この状態で金属筐体１の表面に凸部を構成するように設けている冷却部４に接触させるように取り付けているため、冷却性能の高い浴室用電源装置を実現するものである。
【００３６】
また本実施例では、金属筐体１を絶縁体のカバー５によって覆うように構成しているため、たとえ金属筐体１が充電部となるようなことがあったとしても、感電のおそれが無く安全な浴室用電源装置を実現するものである。
【００３７】
また本実施例によれば、カバー５は、側面に通風口６を下面に通風口７を有する構成としているため、カバー５を使用しても冷却性能が低下することのない浴室用電源装置を実現するものである。
【００３８】
また本実施例では、カバー５はスペーサ１４とスペーサ１５によって空間距離を確保して金属筐体１に取り付けているため、カバー５内の雰囲気は、通風口７から通風口６への自然対流によって放熱され、カバー５を使用しても冷却性能が低下することのない浴室用電源装置を実現するものである。
【００３９】
また本実施例によれば、金属筐体１に、浴室用の照明器具１８を接続する取付具９を設けた構成としているため、照明器具１８の取付がコンパクトに出来見栄えの良い浴室用電源装置を実現するものである。
【００４０】
また本実施例では、送電線２２を金属筐体１に取り付けたものを使用するようにしているため、配線工事が非常に容易となるものである。
【００４１】
（実施例２）
続いて本発明の第２の実施例について説明する。図５は、本実施例の構成を示す断面図である。本実施例では、電力変換装置３を冷却する冷却ファン４１を使用している。すなわち、冷却ファン４１は電力変換装置３と対向する位置にカバー３と金属筐体１との間の空間に配置しているものである。
【００４２】
冷却ファン４１が金属筐体１内に送風する空気によって、電力変換装置３を構成する各
部は一層良く冷却されるものである。
【００４３】
このとき、前記冷却ファン４１を、前記冷却部４の下方に配置するようにすると、冷却部４を強制冷却でき、電力変換装置３を構成している回路部品をさらに効率良く放熱できるものである。
【００４４】
【発明の効果】
請求項１に記載した発明は、浴室の照明器具と、前記照明器具への給電線を分岐して得た商用電源を任意の低電圧電源に変換する電力変換装置と、装置を収容する金属筐体に凸部を構成するように設けた冷却部とを備え、前記電力変換装置からの出力を浴室内に設けている電源コンセントに接続した構成として、浴室の照明器具に対する配線を分岐して得た商用電源を低電圧電源に変換して、浴室内に設けたコンセントに供給でき、装置の発熱を抑えながら、浴室内で使用する電気機器に対する電源を簡単に供給できる浴室用電源装置を実現するものである。
【００４５】
請求項２に記載した発明は、金属筐体は冷却ファンを有する構成として、電力変換装置の発熱を強制的に放熱でき、装置の発熱を抑えながら、浴室内で使用する電気機器に対する電源を簡単に供給できる浴室用電源装置を実現するものである。
【００４６】
請求項３に記載した発明は、冷却ファンは、装置を収容する金属筐体の外部に配置した構成として、電力変換装置の発熱を強制的に放熱でき、装置の発熱を抑えながら、浴室内で使用する電気機器に対する電源を簡単に供給できる浴室用電源装置を実現するものである。
【００４７】
請求項４に記載した発明は、電力変換装置は、回路部品の少なくとも１つを金属筐体に取り付けた構成として、特に発熱量の多い回路部品を強制的に放熱でき、装置の発熱を抑えながら、浴室内で使用する電気機器に対する電源を簡単に供給できる浴室用電源装置を実現するものである。
【００４８】
請求項５に記載した発明は、電力変換装置は、絶縁体でモールドした回路部品を少なくとも１つ有し、更に少なくとも１つの部品を絶縁体を介して金属筐体に接触させた構成として、装置の発熱を抑えながら、浴室内で使用する電気機器に対する電源を簡単に供給できる浴室用電源装置を実現するものである。
【００４９】
請求項６に記載した発明は、金属筐体は絶縁体のカバーによって覆った構成として、何かの原因で金属筐体が充電部になったとしても安全で、浴室内で使用する電気機器に対する電源を簡単に供給できる浴室用電源装置を実現するものである。
【００５０】
請求項７に記載した発明は、絶縁体のカバーは通風口を有する構成として、カバーに設けた通風口によって、電力変換装置の発熱による影響を回避でき、何かの原因で金属筐体が充電部になったとしても安全で、浴室内で使用する電気機器に対する電源を簡単に供給できる浴室用電源装置を実現するものである。
【００５１】
請求項８に記載した発明は、金属筐体は浴室用の照明器具を取り付ける取付手段を備えた構成として、システム全体をコンパクト化した、浴室内で使用する電気機器に対する電源を簡単に供給できる浴室用電源装置を実現するものである。
【００５２】
請求項９に記載した発明は、絶縁体のカバーは浴室用照明器具を取り付ける取付手段を備えた構成として、浴室用の照明器具を一体に取り付けることが可能で、システム全体をコンパクト化した、浴室内で使用する電気機器に対する電源を簡単に供給できる浴室用電
源装置を実現するものである。
【００５３】
請求項１０に記載した発明は、取付手段は、絶縁体のカバーに設けた貫通穴と、前記絶縁体のカバーと金属筐体との間に配置した貫通穴を有するスペーサと、前記金属筐体に設けたねじ穴とによって構成した構成として、使用者が扱い易い場所に電力変換装置の出力を導くことができ、使い勝手の良い、浴室内で使用する電気機器に対する電源を簡単に供給できる浴室用電源装置を実現するものである。
【００５４】
請求項１１に記載した発明は、電力変換装置は一端に電源コンセントに接続する送電線を接続した構成として、接続工事が容易で、浴室内で使用する電気機器に対する電源を簡単に供給できる浴室用電源装置を実現するものである。
【図面の簡単な説明】
【図１】
本発明の第１の実施例である浴室用電源装置の構成を示す断面図
【図２】
同、下方から見た平面図
【図３】
同、電気接続を示すブロック図
【図４】
同、電力変換装置の構成を示す断面図
【図５】
本発明の第２の実施例である浴室用電源装置の構成を示す断面図
【符号の説明】
１  金属筐体
３  電力変換装置
４  冷却部
５  カバー
６  通風口
７  通風口
９  取付具
１２  貫通孔
１３  貫通孔
１４  スペーサ
１５  スペーサ
１８  照明器具
２１  給電線
２２  送電線
２３  電源コンセント
４１  冷却ファン